(57)【要約】【課題】特に力を必要とすることなく、容易かつ確実に石鍋を保持することを可能とした石焼鍋ホルダーを提供すること。【解決手段】鍋の側壁から底部にかけての部分を外側から支える支持片４０１をそれぞれの下端部に有する一対の脚部４を備えた二股状の支持部３と、脚部４の付け根部分から前記支持片４０１の先端が向いている側の斜め下方方向に向けて連設した、鍋の内側の上方部分を押さえる押え部６と、を具備した保持体２と、保持体２の上部から上方に向けて連設した連設部８と連設部８の先端に押え部６を連設した側と同一側に向けて連設した握部片９とを具備した握部７と、握部片９の下方に位置する配置で連設部８に連設した防護板１０と、を具備したことを特徴とし、押え部６で石焼鍋の内側上部を押えて支持片４０１で石焼鍋の側壁から底部にかけての部分を支えることで石焼鍋を保持して移動可能にした。【選択図】図１
2008245895.tif 000002
【特許請求の範囲】
【請求項１】
鍋の側壁から底部にかけての部分を外側から支える支持片（４０１）をそれぞれの下端部に有する一対の脚部（４）を備えた二股状の支持部（３）と、前記脚部（４）の付け根部分から前記支持片（４０１）の先端が向いている側の斜め下方方向に向けて連設した、鍋の内側の上方部分を押さえる押え部（６）と、を具備した保持体（２）と、
該保持体（２）の上部から上方に向けて連設した連設部（８）と該連設部（８）の先端に前記押え部（６）を連設した側と同一側に向けて連設した握部片（９）とを具備した握部（７）と、を具備したことを特徴とする石鍋ホルダー。
【請求項２】
前記握部片（９）の下方に位置する配置で、前記連設部（８）に防護板（１０）を連設したことを特徴とする請求項１に記載の石鍋ホルダー。
【請求項３】
前記脚部（４）及び押え片（６）の肉厚を薄くしたことを特徴とする請求項１又は請求項２に記載の石焼鍋ホルダー。
【発明の詳細な説明】
【技術分野】
【０００１】
本発明は石焼鍋ホルダーに係り、より詳しくは、特に大きな力を必要とすることなく容易に石焼鍋を保持することを可能とした石焼鍋ホルダーに関する。
【背景技術】
【０００２】
近年、飲食店等において、石焼きビビンバに代表されるような石焼鍋を用いた商品が人気を集めている。
【０００３】
そして、この石焼鍋を用いた商品では、周知の通り、石焼鍋の中に具材を入れて、この状態で石焼鍋ごと具材を加熱し、これにより石焼鍋の中に入れた具材を加熱調理して完成されるものである。
【０００４】
ところで、このような石焼鍋を用いた商品では、これを顧客に提供する際には、高温に加熱された石焼鍋を盆やワゴン等に載せて各テーブルに運んでいくが、このとき、石焼鍋は高温になっているために素手で石焼鍋をつかんで移動させることは不可能である。
【０００５】
その一方、石焼鍋が冷めるまで待っていたのでは、石焼鍋を用いた商品としての商品価値が無くなってしまう。そのために従来は、図６に示されるような鍋つかみを用いて石焼鍋を移動していた。
【０００６】
ここで、この従来の鍋つかみを説明すると、図６において、この従来の鍋つかみ３１は、一対の握部片を交差させるとともに可動自在にビス等で連結したプライヤーに類似した形態としており、握部３２を握って握部片の先端部に備えた挟持片３３で石焼鍋の側壁上部を挟持し、これにより石焼鍋を保持することとしている。従って、この従来の鍋つかみを用いることにより、高温に加熱された石焼鍋を保持して盆、ワゴン等に移動させることが可能となる。
【発明の開示】
【発明が解決しようとする課題】
【０００７】
しかしながら、このような従来の鍋つかみ３１では、握部３２を握ることによって挟持片３３で石焼鍋を挟持する必要があるために握部３２を握るための力が必要であるところ、石焼鍋の中には具材が詰まっており全体の重量も多くなっているために、これを保持して移動するためには、相当の力で握部３２を握る必要がある。
【０００８】
また、石焼鍋の側壁は具材を加熱することにより発生した汁等により滑りやすくなっており、更に石焼鍋に具材を入れる場合には石焼鍋の内側全体に油を塗るためにこれによっても滑りやすくなっているため、安全等の確保のためには鍋つかみの握部３２を握るために必要な力は相当なものになる。
【０００９】
特に、ワゴン等でテーブルまで運んだ石焼鍋を鍋つかみで保持した状態でテーブルの上に置く場合には、危険防止の為にも細心の注意を払う必要がある。
【００１０】
しかしながら、前述の従来の鍋つかみでは、石焼鍋を確実に保持するためには力をいれて握部を握ること以外には方法はなく、そのため、常に危険と隣り合わせとなっていた。
【００１１】
そこで、本発明は、特に大きな力を必要とすることなく、容易かつ確実に石鍋を保持することを可能とした石焼鍋ホルダーを提供することを課題としている。
【課題を解決するための手段】
【００１２】
本発明の石焼鍋ホルダーは、鍋の側壁から底部にかけての部分を外側から支える支持片をそれぞれの下端部に有する一対の脚部を備えた二股の支持部と、前記脚部の付け根部分から前記支持片の先端が向いている側の斜め下方方向に向けて連設した、鍋の内側の上方部分を押さえる押え部と、を具備した保持体と、
該保持体の上部から上方に向けて連設した連設部と該連設部の先端に前記押さ部を連設した側と同一側に向けて連設した握部片とを具備した握部と、を具備したことを特徴としている。
【発明の効果】
【００１３】
本発明の石焼鍋ホルダーでは、二股状とした支持部における一対の脚部の先端に鍋の側壁から底部にかけての部分を外側から支える支持片を有するとともに、前記一対の脚部の付け根部分には、鍋の内側の上方部分を押さえる押え部を、支持片の先端が向いている側における斜め下方方向に向けて連設し、更に、支持部と押え部とで構成される保持体の上部には、先端部に握部片を連設した連設部が連設されている。
【００１４】
そのため、押え部で石焼鍋の内側上方を押さえるとともに支持片で石焼鍋の側壁から底部にかけての部分を支える形態で石焼鍋に本発明の石焼鍋ホルダーを装着すると、握部片を握って上方に持ち上げるのみで石焼鍋を持ち上げることが可能である。
【００１５】
従って、本発明の石焼鍋ホルダーを用いることにより、特に大きな力を使うことなく、容易かつ確実に石焼鍋を保持することが可能となる。
【発明を実施するための最良の形態】
【００１６】
本発明の石焼鍋ホルダーでは、石焼鍋を保持するための保持体と、この保持体の上部に連設されて、保持体とともに石焼鍋を持ち上げるための握部とを有しており、保持体は、一対の脚部を有した二股状の支持部と、前記一対の脚部の付け根部分に連設した押え部とを有している。
【００１７】
そして、前記一対の脚部はそれぞれ、鍋の側壁から底部にかけての部分を外側から支える支持片を先端部に有しており、前記押え部は、鍋の内側の上方部分を押さえることが可能なように、支持片の先端が向いている側の斜め下方に向けて前記支持部に連設されている。そしてこれにより、支持片で鍋の側壁から底部にかけての部分を外側から支えることが可能であるとともに、石焼鍋の内側の上方部分を押え片で押えることができ、支持片と押え片とで石焼鍋を保持することを可能としている。
【００１８】
また、前記握部は、前記保持体の上部から上方に向けて連設した連設部と、この連設部の先端に連設した握部片とを有しており、前記連設部は、前記押え片を連設した側と同一の側における斜め上方に向けて連設しており、握部片は、前記押え部を連設した側と同一の側において略水平状態にして前記連設部の先端に連設している。
【００１９】
ここで、前記握部片の下方に位置する配置で、前記連設部に防護板を連設するとよく、これにより、石焼鍋から跳ね上がる油等で手が汚れあるいは火傷することを防止できるとともに、握部片を握っている手等から石焼鍋内にホコリ等が落ちてしまうことを有効に防止することができる。
【００２０】
また、前記脚部及び押え部の肉厚を薄くして脚部及び押え部に板バネに類似した機能を持たせるとよく、これにより、石焼鍋の肉厚、大きさに対応させることができる。
【実施例１】
【００２１】
本発明の石焼鍋ホルダーの実施例について図面を参照して説明すると、図１は、本実施例の石焼鍋ホルダーを正面側から見た斜視図であり、図２は、本実施例の石焼鍋ホルダーを平面側から見た図であり、図３は本実施例の石焼鍋ホルダーを後方における斜め上方から見た状態を示した図であり、図において１が本実施例の石焼鍋ホルダーである。
【００２２】
そして、本実施例の石焼鍋ホルダー１は、石焼鍋を保持するための保持体と、この保持体の上部に連設された握部とを具備しており、保持体は石焼鍋を保持する機能を有しており、この保持体で石焼鍋を保持した状態で握部を握って持ち上げることにより、高温の石焼鍋を移動させることを可能としている。
【００２３】
ここで、前記保持体について説明すると、図において２が保持体であり、本実施例において前記保持体２は、支持部３と押え部６とで構成され、前記支持部３は、一対の脚部４を有する二股状としている。
【００２４】
そして、前記一対の脚部４はそれぞれ、その先端部に支持片４０１を有しており、この支持片４０１は、前記脚部４の先端部分を正面側へ向けてわずかに折り曲げることにより形成され、この支持片４０１によって、石焼鍋の側壁から底部にかけての湾曲した部分を外側から支えることを可能にしている。なお、本実施例においては、前記支持片４０１の先端を、更に、わずかに上方側へ向けて折り曲げ、これにより、より確実に、石焼鍋の側壁から底部にかけての湾曲した部分を外側から支えることを可能にしている。
【００２５】
また、図２からも明らかなように、前記一対の脚部４はそれぞれ、石焼鍋の側壁の周方向に向いた湾曲面に沿うように、わずかに内側に向くように変形させている。そしてこれによって、一対の支持片４０１により、石焼鍋の側壁から底部にかけての部分を確実に支えることを可能にしている。
【００２６】
次に、前記押え部６は、前記一対の脚部４の付け根部分に連設されており、この押え部６は、前記支持片４０１の先端が向いている側、即ち正面側における斜め下方方向に向けて前記支持部３に連設されており、その先端部は更に、下側に向けてわずかに変形させて押え片６０１を形成しており、これにより、石焼鍋の側壁から底部にかけての部分を支持片４０１で支えた際に、石焼鍋の内側における上方部分を押え片６０１で押さえることを可能としている。
【００２７】
従って、本実施例の石焼鍋ホルダー１では、一対の脚部４と押え部６とで石焼鍋の側壁を挟み込むことで、支持片４０１で石焼鍋の側壁から底部にかけての部分を支えつつ、押え片６０１で石焼鍋の内側における上方部分を押さえ、これにより石焼鍋を保持することが可能である。
【００２８】
次に、前記保持体２の上部に連設された握部について説明すると、図において７が握部であり、本実施例において前記握部７は、前記保持体２に連設された連設部８と、この連設部の先端に連設された握部片９とで構成されている。
【００２９】
まず、図において８が連設部であり、即ち、この連設部８は、長尺の平板状としており、前記保持体２の上部に連設している。そして、その連設に際しては、前記押え部６を連設した側、即ち正面側における、わずかに斜め上方に向くようにしている。
【００３０】
次に、前記連設部８の先端には握部片を連設している。即ち、図において９が握部片であり、本実施例においてこの握部片９は、前記連設部８と同様に長尺の平板状としており、前記押え部６を連設した側、即ち正面側に向けて、略水平状態で前記連設部８の先端に連設している。そしてこれにより、握部片９を握って上方に持ち上げることにより、保持体２とともにこの保持体２で保持している石焼鍋を持ち上げて移動させることを可能にしている。
【００３１】
次に、図において１０は防護板である。即ち、本実施例においては、前記握部片９の下方に防護板１０を配置しており、これにより、握部片９を握った際に、握っている者が火傷をし、あるいは石焼鍋内に汚れ等が落下することを防止可能としている。
【００３２】
即ち、一般的に石焼鍋を用いた商品では、完成直後は具材の一部や油等が跳ね上がっておりこれが人気の要因にもなっているが、その反面、握部片９の下方になんらの障害物を介在させない場合には、握部片９を握った手に、跳ね上がった具材や油が飛びついてしまい、これにより握部片９を握っている者が火傷等をするおそれも十分に考えられる。また、手等に何らかの理由で埃等が付着していた場合において、握部片９の下方になんらの障害物を介在させない場合には、その埃等が石焼鍋内に落下してしまう事態も考えられる。そこで、本実施例では、前記握部片９の下方に防護板１０を配置し、これにより、握部片９を握った際に、握っている者が火傷をし、あるいは石焼鍋内に汚れ等が落下することを防止可能としている。
【００３３】
ここで、前記防護板１０について説明すると、本実施例において前記防護板１０は、握部片９を握った手を隠すことが可能な程度の広さとした平板状としており、前記連設部８に連設し、その連設箇所は、連設部８の長手方向寸法の約半分よりわずかに下側に下がった箇所としている。即ち、石焼鍋の上端との間に間隔が形成できる配置としている。そのため、これにより、石焼鍋に入っている調理済みの具材等が防護板に接触してしまうことも防止可能としている。
【００３４】
次に、本実施例の石焼鍋ホルダー１の素材について説明すると、本実施例の石焼鍋ホルダー１では、前記保持体２及び握部７のいずれもステンレス製としており、更に、前記一対の脚部４と前記押え部６は、その他の部分よりも肉厚を薄くして変形可能にし、板バネに類似した機能を持たせている。
【００３５】
即ち、石焼料理に使用される石焼鍋の大きさ、肉厚は千差万別であるため、前記一対の脚部４及び押え部６の肉厚を多くして変形不可能にしてしまうと、石焼鍋の大きさ、肉厚ごとに異なったホルダーを用いる必要が出てくる。
【００３６】
そこで、本実施例の石焼鍋ホルダー１では、前記一対の脚部４と前記押え部６の肉厚を他の部分よりも薄くして変形可能にして板バネに類似した機能を持たせ、石焼鍋の大きさや肉厚にフレキシブルに対応可能としている。
【００３７】
次に、このように構成される本実施例の石焼鍋ホルダー１の作用について説明すると、図４及び図５は本実施例の石焼鍋ホルダー１で石焼鍋２１を保持している状態を示した図であり、本実施例の石焼鍋ホルダー１で石焼鍋２１を保持する場合には、図に示されるように、石焼鍋２１の側壁から底部にかけての部分を支持片４０１で支えつつ石焼鍋２１の内側における上方部分を押え片６０１で押さえるようにして、一対の脚部４と押え部６とで石焼鍋２１の側壁を挟み込み、この状態で握部片９を握って上方に持ち上げる。
【００３８】
そうすると、石焼鍋２１の側壁から底部にかけての部分が支持片４０１によって持ち上げられるために石焼鍋２１は傾く方向に動くが、このとき、石焼鍋の内側における上方部分を押え部６で押さえているために、石焼鍋２１は傾かず、水平の状態を維持しつつ上方に持ち上げられる。
【００３９】
このように、本実施例の石焼鍋ホルダー１では、一対の脚部４と押え部６とで石焼鍋２１の側壁を挟み込んだ状態で握部片９を握って上方に持ち上げることのみで石焼鍋２１を移動させることができ、石焼鍋の側壁を挟持するための力を必要としていないため、従来の鍋つかみと異なり、特に大きな力を必要とすることなく、容易かつ確実に石焼鍋２１を保持することが可能である。
【００４０】
また、本実施例においては、前記握部片９の下方に防護板１０を配置しているため、握部片９を握った際に、握っている者が火傷をし、あるいは石焼鍋内に汚れ等が落下することを防止することも可能である。
【００４１】
更に、本実施例の石焼鍋ホルダー１では前記一対の脚部４と前記押え部６の肉厚を他の部分よりも薄くして変形可能にすることで一対の脚部４と押え部６に板バネに類似した機能を持たせているために、石焼鍋の大きさや肉厚にフレキシブルに対応可能であり、石焼鍋の大きさや肉厚が異なるごとに異なったホルダーを用いる必要もない。
【００４２】
なお、前述の説明では防護板１０を用いた形態を説明したが、防護板１０は特に必要なものではなく、これを用いない形態としてもよい。
【００４３】
また、必ずしも、一対の脚部４と前記押え部６の肉厚を薄くして一対の脚部４と押え部６に板バネに類似した機能を持たせる必要もなく、一対の脚部４と前記押え部６の肉厚はその他の部分と同一であってもよい。
【産業上の利用可能性】
【００４４】
本発明の石焼鍋ホルダー１では、特に大きな力を必要とすることなく重量のある石焼鍋を容易かつ確実に保持可能としているために、石焼鍋用のホルダーに限らず、鍋を移動する際に用いるホルダーの全般に適用可能である。
【図面の簡単な説明】
【００４５】
【図１】本発明の石焼鍋ホルダーの実施例を正面側から見た場合の斜視図である。
【図２】本発明の石焼鍋ホルダーの実施例を平面側から見た図である。
【図３】本発明の石焼鍋ホルダーの実施例を後方における斜め上方から見た状態を示した図である。
【図４】本発明の石焼鍋ホルダーの実施例の作用を説明するための図であり、石焼鍋を保持している状態を示している。
【図５】本発明の石焼鍋ホルダーの実施例の作用を説明するための図であり、石焼鍋を保持している状態を示している。
【図６】従来の鍋つかみを説明するための図であり、従来の鍋つかみで石焼鍋を保持している状態を示している。
【符号の説明】
【００４６】
１    石焼鍋ホルダー
２    保持体
３    支持部
４    脚部
４０１    支持片
６    押え部
６０１    押え片
７    握り部
８    連設部
９    握部片
１０    防護板
【図１】
2008245895.tif 000003
【図２】
2008245895.tif 000004
【図３】
2008245895.tif 000005
【図４】
2008245895.tif 000006
【図５】
2008245895.tif 000007
【図６】
2008245895.tif 000008